(57)【要約】【課題】電子部品の振動を確実に抑制する電子部品付きコネクタを提供することを目的とする。【解決手段】前後方向に延びる電子部品本体６１と該電子部品本体６１の前端面６１Ａから前方に突出するリード線６２とを有する電子部品６０と、前記電子部品６０の前方に配されて前記リード線６２と接続される導電部材４０と、前記電子部品６０と前記導電部材４０とを内部に組み付け可能なハウジング（１０、２０）と、前記ハウジング（１０、２０）とは別体で、前記ハウジング（１０、２０）と前記電子部品本体６１との間を埋めることが可能で、かつ、前記電子部品本体６１と前記ハウジング（１０、２０）の間の隙間の大きさに応じて変形可能な保持部品７０とを備える。【選択図】図１７
2015011853.tif 000002
【特許請求の範囲】
【請求項１】
前後方向に延びる電子部品本体と該電子部品本体の前端面から前方に突出するリード線とを有する電子部品と、
前記電子部品の前方に配されて前記リード線と接続される導電部材と、
前記電子部品と前記導電部材とを内部に組み付け可能なハウジングと、
前記ハウジングとは別体で、前記ハウジングと前記電子部品本体との間に装着され、前記電子部品本体と前記ハウジングの間の隙間の大きさに応じて変形可能な保持部品とを備える電子部品付きコネクタ。
【請求項２】
前記ハウジングは、前記導電部材を保持するホルダと、前記ホルダを前方から挿入可能な挿入口を有し該挿入口から前記ホルダを内部に収容可能なハウジング本体とから形成されており、
前記電子部品本体の前端部は前記ホルダに保持されつつ、前記電子部品本体の後端部に前記保持部品が装着されている請求項１に記載の電子部品付きコネクタ。
【請求項３】
前記電子部品本体は、略円柱形状とされており、
前記保持部品は、その内周側面が全体として略円筒状をなしつつ、その内周底面が略円形をなしており、前記内周側面から内周底面の中心に向かってスリットが形成されている請求項１または請求項２に記載の電子部品付きコネクタ。
【請求項４】
前記電子部品本体は、略円柱形状とされており、
前記保持部品は、弾性部材で形成されており、略円筒形で前記電子部品本体を覆って前記ハウジングとの隙間を埋める円筒部と、該円筒部から径方向外側に突出した突出部とを備えており、
前記ハウジングには、前記突出部を収容可能な凹部が形成されている請求項１または請求項２に記載の電子部品付きコネクタ。
【発明の詳細な説明】
【技術分野】
【０００１】
本発明は、電子部品付きコネクタに関する。
【背景技術】
【０００２】
従来、コンデンサ等の電子部品を内蔵した電子部品付きコネクタとして、下記特許文献１に記載のものが知られている。この電子部品は横長の部品本体を有し、この部品本体の両端から一対のリード線がそれぞれ反対方向に引き出され、各リード線はバスバーの貫通孔に挿通されてはんだ付けされている。このため、電子部品付きコネクタが振動を受けた場合であっても、電子部品の部品本体は両側で支えられているため大きく振動することはなく、バスバーとの接続部が破損するおそれはない。
【０００３】
一方、電子部品付きコネクタの仕様によっては、下記特許文献２のように、電子部品本体を前後方向に配置する縦型配置を採用することがある。この場合には、電子部品には、一対のリード線が部品本体の一端からそれぞれ同じ方向に引き出されている。そして、リード線が、コンデンサ保持部の軸方向の一端側（前端側）に設けられたリード線挿通孔を挿通して、端子金具の上部に重ねて配されて、リード線と端子金具とが抵抗溶接されている。
【先行技術文献】
【特許文献】
【０００４】
【特許文献１】特開２００７−２８７６４４号公報
【特許文献２】特開２０１３−３８０５１号公報
【発明の概要】
【発明が解決しようとする課題】
【０００５】
しかしながら、電子部品の寸法公差は元々大きく、部品本体の寸法が小さめに形成されている場合には、上記特許文献２の構成では、コンデンサ保持部と電子部品本体との間に空間ができ、振動によって抵抗溶接部分にストレスがかかることになり、破損する可能性がある。
【０００６】
本発明は上記のような事情に基づいて完成されたものであって、電子部品付きコネクタにおいて電子部品の振動を確実に抑制することを目的とする。
【課題を解決するための手段】
【０００７】
本発明の電子部品付きコネクタは、前後方向に延びる電子部品本体と該電子部品本体の前端面から前方に突出するリード線とを有する電子部品と、前記電子部品の前方に配されて前記リード線と接続される導電部材と、前記電子部品と前記導電部材とを内部に組み付け可能なハウジングと、前記ハウジングとは別体で、前記ハウジングと前記電子部品本体との間に装着され、前記電子部品本体と前記ハウジングの間の隙間の大きさに応じて変形可能な保持部品とを備えることに特徴を有する。
【０００８】
このような構成によると、電子部品本体を前後方向に配置する縦型配置を採用し、電子部品には、一対のリード線が電子部品本体の一端からそれぞれ同じ方向に引き出されている場合に、ハウジングとの間の隙間ができないように電子部品本体を保持部品が保持することになる。また、保持部品は、電子部品本体の寸法公差を吸収できるように変形可能となっており、電子部品本体とハウジングの間の隙間を埋めることから、電子部品が振動することを抑制することができ、リード線と導電部材との接続部分が破損することを回避できる。
【０００９】
本発明の電子部品付きコネクタの実施の態様として、以下の構成としてもよい。
前記ハウジングは、前記導電部材を保持するホルダと、前記ホルダを前方から挿入可能な挿入口を有し該挿入口から前記ホルダを内部に収容可能なハウジング本体とから形成されており、前記電子部品本体の前端部は前記ホルダに保持されつつ、前記電子部品本体の後端部に前記保持部品が装着されている構成としても良い。
このような構成では、予め導電部材と電子部品本体をホルダに保持させた後、導電部材と電子部品のリード線を接続することができるため、作業性が向上する。また、電子部品本体に保持部品を装着した後に、導電部材と電子部品が保持されたホルダをハウジング内部に収容することができるため、作業性が向上する。
【００１０】
前記電子部品本体は、略円柱形状とされており、前記保持部品は、その内周側面が全体として略円筒状をなしつつ、その内周底面が略円形をなしており、前記内周側面から内周底面の中心に向かってスリットが形成されている構成としても良い。
このような構成では、電子部品本体の大きさに応じて、保持部品に設けられたスリットが開くことで、電子部品本体の寸法公差による大きさの変化に対応可能となっている。
【００１１】
前記電子部品本体は、略円柱形状とされており、前記保持部品は、弾性部材で形成されており、略円筒形で前記電子部品本体を覆って前記ハウジングとの隙間を埋める円筒部と、該円筒部から径方向外側に突出した突出部とを備えており、前記ハウジングには、前記突出部を収容可能な凹部が形成されている構成としても良い。
このような構成では、保持部品の略円筒形の円筒部が円柱形状の電子部品に装着される際に、円筒部が弾性部品でできているので、電子部品本体の寸法公差によって円筒部は変形可能であり、ハウジングと電子部品本体の間の隙間を埋めて、振動を緩和することができる。また、突出部によって、ハウジングとの装着性が向上することから、保持部品及び保持部品が装着された電子部品の周り止めになる。
【発明の効果】
【００１２】
本発明によれば、電子部品の振動を確実に抑制することができる。
【図面の簡単な説明】
【００１３】
【図１】本発明の実施形態１に係る電子部品付きコネクタの分解斜視図
【図２】ハウジング本体の正面図
【図３】ハウジング本体の平面図
【図４】図２のiv−iv位置における断面図
【図５】ホルダの正面図
【図６】ホルダの平面図
【図７】図４のvii−vii位置における断面図で示したホルダにコンデンサを組み付ける前の状態を示した図
【図８】ホルダに端子金具とコンデンサを組み付けた状態を示した斜視図
【図９】ホルダに端子金具とコンデンサを組み付けた状態を示した正面図
【図１０】ホルダに端子金具とコンデンサを組み付けた状態でリテーナを組み付ける前の状態を示した平面図
【図１１】ホルダに端子金具とコンデンサを組み付けた状態でリテーナを組み付ける前の状態を示した側面図
【図１２】リテーナの正面図
【図１３】リテーナの底面図
【図１４】図１２のxiv−xiv位置における断面図
【図１５】電子部品付きコネクタの斜視図
【図１６】電子部品付きコネクタの正面図
【図１７】図１６のxvii−xvii位置における一部切欠き断面図
【図１８】図１６のxviii−xviii位置における断面図
【図１９】本発明の実施形態２に係るキャップの正面図
【図２０】キャップの平面図
【図２１】キャップの背面図
【図２２】実施形態２の電子部品付きコネクタの図１６のxvii−xvii位置における一部切欠き断面図
【発明を実施するための形態】
【００１４】
＜実施形態１＞
以下、本発明の実施形態１を図１ないし図１８に基づいて説明する。
本実施形態における電子部品付きコネクタ（以後、単にコネクタＣ１と称する）は、自動車等に搭載された電気・電子機器等のノイズを除去するためのコネクタである。コネクタＣ１は、図１に示すように一方向のみに開口した袋状のハウジング本体１０と、ハウジング本体１０内に収容されるホルダ２０と、ホルダ２０に保持されるバスバー片４０と、コンデンサ本体６１とリード線６２とを有するコンデンサ６０と、コンデンサ本体６１とハウジング本体１０の間を埋めるリテーナ７０とから構成されている。また、このコネクタＣ１は、自動車などに搭載された電気・電子機器などから導出される図示しない複数の電線を一括して接続するジョイントコネクタである。このコネクタＣ１は、正極側および負極側の２つのバスバー片４０を有し、この正負のバスバー片４０の間に、コンデンサ６０が介設されている。このコネクタＣ１は、相手側コネクタ８０（図１７参照）と嵌合可能とされている。以下、各構成部材において、コネクタＣ１における相手側コネクタ８０との嵌合面側を前側、その反対側を後側とし、また、上下左右方向については図２を基準として説明する。
【００１５】
ハウジング本体１０は合成樹脂製であって、図１に示すように、前方からホルダ２０を内部に挿入可能な挿入口１１を有している。ハウジング本体１０は、挿入口１１を構成するとともに相手側コネクタ８０（図１７参照）と嵌合するフード部１３と、ホルダ２０の中間部３１を収容するホルダ収容部１７と、コンデンサ６０を収容するコンデンサ収容部１８とから形成されている。そして、フード部１３とホルダ収容部１７とコンデンサ収容部１８とが、一体に形成され、全体として挿入口１１を有する３段形状の袋状となっている。ハウジング本体１０の構造の詳細については後述する。
【００１６】
バスバー片４０は、図１に示すように、金属等の導電性の板材を打ち抜いて、曲げ加工等を施すことで成形されている。バスバー片４０は、相手側コネクタ８０に保持された雌端子金具に接続される複数の端子部４１と、これらを櫛歯状に連結する帯状連結部４３と、をそれぞれ有している。また、正負の一対のバスバー片４０は、図９に示すように、ホルダ２０の厚さ方向（高さ方向）に上下２段に並べて配置されている。そして、下段側に配置されたバスバー片４０を第１バスバー片４０Ａ、上段側に配置されたバスバー片４０を第２バスバー片４０Ｂと称する。図１に示すように、第１バスバー片４０Ａは、第１電子部品接続部４５Ａを有しており、第２バスバー片４０Ｂは、第２電子部品接続部４５Ｂを有している。これらの第１電子部品接続部４５Ａ及び第２電子部品接続部４５Ｂは、コンデンサ６０に接続される。以下、第１電子部品接続部４５Ａと第２電子部品接続部４５Ｂとに共通する構成を説明する際には、これらをまとめて電子部品接続部４５Ａ、４５Ｂというものとする。
【００１７】
各端子部４１はタブ状をなし、帯状連結部４３の前端面に一定のピッチで並んで５本ずつ突設されている。電子部品接続部４５Ａ、４５Ｂは、帯状連結部４３のうち端子部４１とは反対の端面（後端面）に形成され、帯状連結部４３から略直角方向に延出している。
各帯状連結部４３の左右方向の長さは、図１０に示すように、後述するホルダ２０のバスバー片保持部２１の幅方向（左右方向）の長さよりも長くなっている。そのため、バスバー片４０をホルダ２０に組み付けた際に、各帯状連結部４３が、バスバー片保持部２１の左右両端部から突出した状態となる。
【００１８】
第１バスバー片４０Ａの第１電子部品接続部４５Ａと、第２バスバー片４０Ｂの第２電子部品接続部４５Ｂとは、組み付けられた際に、図１０に示すように、ホルダ２０の幅方向に一定の間隔をあけて配置されている。
【００１９】
第２電子部品接続部４５Ｂは、図１７に示すように、その帯状連結部（第２帯状連結部４３Ｂと称する）のうち左右方向（ホルダ２０の幅方向）の中心よりも左側に偏心した位置から後方に突出しており、その突出した部分が後述するコンデンサ６０のリード線６２と溶接される第２溶接部４８Ｂを構成している。また、第２電子部品接続部４５Ｂは、第２溶接部４８Ｂを含むその全長にわたり段差がない平坦なものとされる。第２電子部品接続部４５Ｂは、第２帯状連結部４３Ｂとも段差がないため、第２バスバー片４０Ｂ全体が平坦なものとされている。なお、第２電子部品接続部４５Ｂの幅寸法は後述する第２圧入部５３を除き全長にわたり略同一とされている。
【００２０】
第２電子部品接続部４５Ｂには、第２圧入部５３が形成されている。第２圧入部５３は、前方に向かって幅が広がるように形成されているため、後述する第２接続部挿通孔２４に圧入されるにつれて、樹脂に食い込む部分が大きくなる。すなわち、第２電子部品接続部４５Ｂの左右両側に設けられた一対の第２圧入部５３を合わせることで楔形状の圧入部が構成されている。第２圧入部５３は、図１７に示すように、バスバー片保持部２１の前後方向の長さの略中央に係止することで、所定位置に配された第２バスバー片４０Ｂを抜け止めしてホルダ２０に保持する役割を果たす。
【００２１】
第１電子部品接続部４５Ａは、図１に示すように、その帯状連結部（第１帯状連結部４３Ａと称する）のうち左右方向の中心よりも右側に偏心した位置から後方に突出して、その突出した部分が、後述するコンデンサ６０のリード線６２と溶接される第１溶接部４８Ａを構成している。第１電子部品接続部４５Ａは、その先端にある第１溶接部４８Ａが第２電子部品接続部４５Ｂと略同一高さに配されるべく、長さ方向（前後方向）の途中の位置において２度直角曲げされている。すなわち第１電子部品接続部４５Ａは、その長さ方向の途中の位置において上方に屈曲された後、第２電子部品接続部４５Ｂと同一高さの位置において、さらに後方に屈曲されている。また、第１電子部品接続部４５Ａの第１溶接部４８Ａは、屈曲された部分よりも若干幅広形状となっている。
【００２２】
第１バスバー片４０Ａには、図１８に示すように、後述するホルダ２０のバスバー片保持部２１に対して、後方に押し込まれることで、ホルダ２０に形成されたホルダ圧入孔２６に圧入される第１圧入部５１が備えられている。第１圧入部５１は、第１帯状連結部４３Ａから第１電子部品接続部４５Ａと同じ側に突出して設けられ、すなわち端子部４１とは第１帯状連結部４３Ａを挟んで反対側に突出して設けられている。第１圧入部５１の長さ寸法は、バスバー片保持部２１の前後方向の長さ寸法よりも短くなっている。また、その先端側は、楔形状となっている。
【００２３】
また、各バスバー片４０には、図１７及び図１８に示すように、ハウジング本体１０に対して、後方に押し込まれることで、後述するハウジング本体１０に形成されたハウジング圧入穴１６に圧入されるハウジング圧入部５５が備えられている。ハウジング圧入部５５は、帯状連結部４３から電子部品接続部４５Ａ、４５Ｂと同じ側に突出して設けられ、すなわち端子部４１とは反対側に突出して設けられている。ハウジング圧入部５５の長さ寸法は、第１圧入部５１の長さ寸法と略同一とされており、その先端側は、楔形状となっている。また、ハウジング圧入部５５は、各バスバー片４０に一対ずつ備えられている。一対のハウジング圧入部５５は、帯状連結部４３の左右方向の両端部に位置している。ハウジング圧入部５５は、ホルダ２０にバスバー片４０が組み付けられた場合に、バスバー片保持部２１から左右両側に突出して配される。
【００２４】
コンデンサ６０は、図７に示すように、アルミ電解コンデンサであって、円柱形状をなすコンデンサ本体６１と、その前端面６１Ａから導出された正負一対のリード線６２とを備えている。リード線６２は丸ピン形状をなし、コンデンサ本体６１の前端面６１Ａから略垂直方向（コンデンサ本体６１の軸方向）に突出したのちに、その端部がコンデンサ本体６１の外周面よりも径方向外側に向かって、クランク状に形成されたのちに、コンデンサ本体６１の外周面よりも外側で、前方に向かって延伸することで、延伸部分がリード線突出部６４を形成している。この一対のリード線６２は、コンデンサ６０がコネクタＣ１の前後方向に（縦型配置で）組み付けられると、バスバー片４０の溶接部４８Ａ、４８Ｂの上側に配され、抵抗溶接によって電子部品接続部４５Ａ、４５Ｂに接続される。
【００２５】
次に、ホルダ２０の構造について、説明する。
ホルダ２０は合成樹脂製であって、図８に示すように、全体として前後方向に細長い形状をなし、その前端側にバスバー片４０を保持するバスバー片保持部２１が形成され、後端側にコンデンサ６０を保持するコンデンサ保持部３５が形成されている。そして、ホルダ２０のうちバスバー片保持部２１とコンデンサ保持部３５との間に形成された中間部３１において、バスバー片４０とコンデンサ６０との接続がなされる。なお、コンデンサ保持部３５は、ホルダ２０の幅方向（左右方向）の略中央に位置している。
【００２６】
バスバー片保持部２１は、図６に示すように、ホルダ２０の幅方向に長い略方形のブロック状をなしている。バスバー片保持部２１には、図５に示すように、バスバー片４０の帯状連結部４３が装着される装着溝２２が形成されている。装着溝２２は、前方に開口された左右方向（幅方向）に長く、前方及び左右方向（幅方向）の３方向に開口した溝であり、バスバー片４０の帯状連結部４３が前方から装着可能とされている。バスバー片４０は、組み付けられた際に、図１７に示すように、装着溝２２の奥面（後面）に、帯状連結部４３の後端面が当接して後止まりがなされる。また、装着溝２２はバスバー片保持部２１に上下２段平行に形成されている。
【００２７】
上段の装着溝２２の奥面には、図７に示すように、第２バスバー片４０Ｂの第２電子部品接続部４５Ｂを挿通可能な第２接続部挿通孔２４が貫通形成されている。第２電子部品接続部４５Ｂは、図１７に示すように、装着溝２２の前方から挿入されて、第２接続部挿通孔２４を挿通して、中間部３１に突出する。なお、第２接続部挿通孔２４の幅は第２電子部品接続部４５Ｂの幅と略同一とされている。
【００２８】
バスバー片保持部２１には、図５に示すように、上段の装着溝２２と下段の装着溝２２を上下方向に連通させる差入孔２５が形成されている。差入孔２５は、図１に示すように、第１バスバー片４０Ａの第１電子部品接続部４５Ａの屈曲した部分を差し入れることを可能としており、差入孔２５の幅寸法は、第１電子部品接続部４５Ａの屈曲した部分の幅寸法よりも若干大きい寸法とされている。また、上段の装着溝２２の奥面には、図７に示すように、第１電子部品接続部４５Ａの第１溶接部４８Ａを挿通可能な第１接続部挿通孔２３が貫通形成されている。第１電子部品接続部４５Ａの第１溶接部４８Ａは、図１７及び図１８に示すように、上段の装着溝２２の前方から挿入されて、第１接続部挿通孔２３を挿通して、中間部３１に突出する。その際に、屈曲した部分が差入孔２５に差し入れられる。なお、第１接続部挿通孔２３の幅寸法は、差入孔２５の幅寸法より大きく、第１電子部品接続部４５Ａの第１溶接部４８Ａが挿通可能な幅とされている。
【００２９】
また、下段の装着溝２２の奥面には、図５に示すように、第１バスバー片４０Ａの第１圧入部５１に対応する位置に、ホルダ圧入孔２６が形成されている。ホルダ圧入孔２６は、バスバー片保持部２１の幅方向（左右方向）の略中央に形成され、バスバー片保持部２１の後側へ貫通している。
【００３０】
中間部３１は、図６および図７に示すように、幅方向に対向状態をなすように設けられた一対の側壁部３２と、これらの側壁部３２を連結する中間連結部３３と、リード線６２を下方から支持するリード線支持部３４とを有している。一対の側壁部３２は、互いに略平行をなして対向し、その前端が、バスバー片保持部２１に連結されている。中間連結部３３は、側壁部３２の後端部を連結するように設けられており、後述するスペーサ部３８の下部と一体に成形されることで、コンデンサ保持部３５と連結されている。また、中間連結部３３の前端には、コンデンサ６０のリード線６２を支持するリード線支持部３４が設けられている。リード線支持部３４は、中間連結部３３から前方に片持ち状に突出し、上下方向に弾性変形可能とされている。中間部３１においては、一対の側壁部３２とバスバー片保持部２１とコンデンサ保持部３５とに囲まれた空間が、上下方向に開口しており、コンデンサ保持部３５とリード線６２を抵抗溶接するための電極（図示せず）を配置できるようになっている。
【００３１】
コンデンサ保持部３５は、図６および図７に示すように、内側にコンデンサ本体６１を収容する略円筒形状の筒状部３６と、リード線６２のリード線突出部６４をガイドする回転規制溝３７と、コンデンサ６０のリード線６２間に配されるスペーサ部３８とを有している。筒状部３６は、軸方向が前後方向になるように形成されるとともに、その後端側はコンデンサ６０を挿入可能なコンデンサ挿入口３９として、後方全体が開口しており、後方からコンデンサ６０を収容可能とされている。また、前端側もリード線６２を挿通可能にするために開口している。筒状部３６の長さは、図８に示すように、コンデンサ本体６１の前方から約３分の２を覆う長さである。つまり、コンデンサ本体６１は、筒状部３６に覆われていない部分を有している。また、筒状部３６の上面部の一部は、前方に延出しており、この延出した部分から下方に突出して中間連結部３３と連結される柱状のスペーサ部３８が設けられている。スペーサ部３８は、リード線６２同士の接触を防ぎ、かつコンデンサ本体６１が規定位置より前方に動くことを防ぐ。
【００３２】
一方、回転規制溝３７は、図７及び図８に示すように、筒状部３６の高さ方向の略中央部分の左右両側を一部切欠いた部分に連なっており、筒状部３６の形成するコンデンサ本体６１を収容する空間と連通して、筒状部３６の径方向外側（収容されたコンデンサ本体６１の径方向外側）に位置している。回転規制溝３７は、リード線支持部３４の上面と、回転規制溝３７の下端の高さ位置が略同一となっている。また、回転規制溝３７は、筒状部３６の前後方向（奥行方向）の全長に亘って形成されており、その内部の幅Ｗ１は、リード線突出部６４の外側の幅より若干大きくなっている。なお、回転規制溝３７及び筒状部３６は、コンデンサ６０を挿入しやすいように、その後端部分が、径方向外側に向かってテーパ状をなしている。
【００３３】
次に、リテーナ７０について説明する。リテーナ７０は、図１２に示すように、樹脂製の部品であって、平面視略方形状をなす後部開放の浅い箱形をなしている。リテーナ７０は、全体として四方を囲む外壁部７１と、外壁部７１の間の前側を覆う前端面７２と、前端面７２の略中心部に設けられ後方に向かって凹設するようにして形成され、スリット７５により４つに分割されて全体として円筒形状を内壁側部７３と、内壁側部７３の後端に設けられスリット７５により４つに分割されて全体として略円形の円底面７４とから構成されており、その外壁部７１の後端面は開放されている。リテーナ７０の外周形状は、図１７に示すように、ハウジング本体１０のコンデンサ収容部１８の内周形状と略同一で、リテーナ７０の前後方向の長さは、コンデンサ保持部３５の後端からコンデンサ収容部１８の内の奥端面の間の長さとほぼ同じであり、リテーナ７０はコンデンサ収容部１８にがたつきがない状態で収容される。
【００３４】
図１４に示すように、リテーナ７０は外壁部７１と内壁側部７３との間は中空になっており、内壁側部７３が外壁部７１側に変形可能となっている。内壁側部７３は前端部が外壁部７１及び前端面７２と繋がっており、内壁側部７３の前端部では、コンデンサ本体６１の寸法公差内の最大寸法より若干大きくなっている。内壁側部７３の前端部から後方に向かって徐々にその径を小さくしていくテーパ部７３Ａを有しており、コンデンサ本体６１の寸法公差内の最小径寸法より若干小さくなったところから後端に向かっては、その径寸法を等しくする同径部７３Ｂとなっている。内壁側部７３のテーパ部７３Ａから円底面７４に向かってスリット７５が形成されている。スリット７５は円底面７４の中心が中心となる十字形となっており、このスリット７５は内壁側部７３及び円底面７４の肉厚を貫通している。そして、コンデンサ本体６１が挿入されると、スリット７５が広がることで、コンデンサ本体６１の外径が内壁側部７３の内径より大きいものであっても、収容可能としている。
【００３５】
続いて、ハウジング本体１０の構造について説明する。
図２及び図３に示すように、フード部１３の嵌合底面１４から後方に凹設するように、コンデンサ収容部１８が形成されている。また、嵌合底面１４には、コンデンサ収容部１８よりも大きく開口させて凹設することで、ホルダ収容部１７が形成されている。フード部１３とホルダ収容部１７の連結部には、バスバー片４０の帯状連結部４３（図１７参照）の両端部を差し込むためのハウジング差込溝１５がホルダ収容部１７を挟んで左右両側に一対形成されている。さらに、ハウジング差込溝１５のそれぞれに、ハウジング差込溝１５の後面から後方に延びて凹設したハウジング圧入穴１６が形成されており、ハウジング圧入穴１６にハウジング圧入部５５を圧入可能とされている。
【００３６】
ホルダ収容部１７は、ホルダ２０の中間部３１（図６参照）を収容可能としており、その大きさはホルダ２０の中間部３１ががたつかずに収容可能な大きさとなっている。
コンデンサ収容部１８は、図１７に示すように、ホルダ２０のコンデンサ保持部３５を収容可能としている。コンデンサ収容部１８の長さはコンデンサ保持部３５を所定位置に収容しても、コンデンサ収容部１８の後方に空間が設けられるゆとりのある長さとされている。そして、この空間がリテーナ７０の後端部によって埋められている。
【００３７】
本実施形態は以上のような構成であって、続いてその組み立て方法について図１及び図１７を用いて説明する。
まず、第１バスバー片４０Ａをホルダ２０に取り付ける。第１帯状連結部４３Ａが下段の装着溝２２に、第１電子部品接続部４５Ａの屈曲した部分が差入孔２５に、第１電子部品接続部４５Ａの幅広部分が上段の装着溝２２（第１接続部挿通孔２３の前方）に位置するようにして、第１電子部品接続部４５Ａから第１バスバー片４０Ａを後方に押し込む。すると、第１圧入部５１が下段の装着溝２２のホルダ圧入孔２６（図５参照）に圧入され、第１電子部品接続部４５Ａの第１溶接部４８Ａが中間部３１の中空部分に突出してくる。そして、第１帯状連結部４３Ａの後端面が、下段の装着溝２２の奥面に突き当たると、第１バスバー片４０Ａの押し込みが停止される。なお、第１電子部品接続部４５Ａが差入孔２５や第１接続部挿通孔２３に挿入される際には、圧入はされておらず、第１圧入部５１のみが圧入されている。こうして、第１バスバー片４０Ａは、第１圧入部５１がホルダ圧入孔２６の内周面に食い込むことにより、バスバー片保持部２１に保持される。
【００３８】
次に、第２バスバー片４０Ｂをホルダ２０に取り付ける。第２帯状連結部４３Ｂが上段の装着溝２２に、第２電子部品接続部４５Ｂが第２接続部挿通孔２４の前方に位置するようにして、第２電子部品接続部４５Ｂから第２バスバー片４０Ｂを後方に押し込む。すると、第２電子部品接続部４５Ｂの第２圧入部５３が第２接続部挿通孔２４に圧入され、第２電子部品接続部４５Ｂの先端部分が中間部３１の中空部分に突出してくる。そして、第２帯状連結部４３Ｂの後端面が、上段の装着溝２２の奥面に突き当たると、第２バスバー片４０Ｂの押し込みが停止される。こうして、第２バスバー片４０Ｂは、第２圧入部５３が第２接続部挿通孔２４の内面に食い込むことにより、バスバー片保持部２１に保持される。
このように、バスバー片４０がホルダ２０に取り付けられると、ハウジング圧入部５５と帯状連結部４３の左右両端部は、バスバー片保持部２１から左右両側に突出している。
【００３９】
バスバー片４０が取り付けられると、コンデンサ６０がコンデンサ保持部３５に取り付けられる。コンデンサ６０は、筒状部３６のコンデンサ挿入口３９からリード線６２を前方に挿入され、左右それぞれのリード線６２のリード線突出部６４が左右それぞれの回転規制溝３７に挿入される。リード線６２は、リード線突出部６４が回転規制溝３７に上下方向（周方向）への動きを抑制されながら、ガイドされて挿入される。コンデンサ本体６１の前端面６１Ａが、スペーサ部３８の後端に当接する位置までくると、コンデンサ６０は挿入を停止される。この状態で、コンデンサ本体６１の後端部（約全長の３分の１）は、筒状部３６から突出した状態となっている。コンデンサ６０が所定位置に縦型配置で取り付けられると、リード線６２と溶接部４８Ａ、４８Ｂとが、上下一対の抵抗溶接用の電極に挟まれて抵抗溶接される。
【００４０】
コンデンサ６０のリード線６２が抵抗溶接されると、コンデンサ本体６１の後端部に後方からリテーナ７０が取り付けられる。リテーナ７０のテーパ部７３Ａ（図１４参照）がコンデンサ本体６１の後端部に当接すると、テーパ部７３Ａにガイドされて、コンデンサ本体６１の後端部はリテーナ７０の後方に向かって侵入していく。つまり、リテーナ７０がコンデンサ本体６１の前方に向かって押し込まれていく。この際に、徐々にスリット７５が開くことで、リテーナ７０の内壁側部７３はコンデンサ本体６１の大きさに応じて変形して、コンデンサ本体６１を挟み込みながら保持する。そして、外壁部７１の前端及び前端面７２がホルダ２０のコンデンサ保持部３５の後端に当接することで、リテーナ７０の押し込みが停止される。
【００４１】
続いて、バスバー片４０とコンデンサ６０が取り付けられたホルダ２０がハウジング本体１０に取り付けられる。挿入口１１からリテーナ７０を取り付けたコンデンサ６０を先方にしてホルダ２０が挿入される。そして、バスバー片４０（帯状連結部４３）のホルダ２０から突出した端部が押されることで、バスバー片４０が押し込まれる。バスバー片４０のハウジング圧入部５５が、ハウジング圧入穴１６に圧入される。そして、帯状連結部４３のホルダ２０から突出した端部の後端面が、ハウジング差込溝１５の後面に突き当たり、押し込みが停止される。バスバー片４０の押し込みが停止すると、バスバー片４０とともにホルダ２０もハウジング本体１０内の所定の位置に配される。この際に、リテーナ７０の外壁部７１の後端がコンデンサ収容部１８の内底面に当接して、リテーナ７０ががたつきのない状態で収容される。このようにして、リテーナ７０がコンデンサ本体６１とコンデンサ収容部１８の内面との間に形成された隙間を埋めることによって、外部からの振動によって、コンデンサ本体６１が振動するのが抑制される。また、バスバー片４０は、ハウジング圧入部５５がハウジング圧入穴１６の内周面に食い込むことにより、ハウジング本体１０に保持される。
【００４２】
以上説明したように本実施形態では、コンデンサ本体６１を前後方向に配置する縦型配置を採用し、コンデンサ６０には、一対のリード線６２がコンデンサ本体６１の一端（前端面６１Ａ）からそれぞれ同じ方向に引き出されている場合であっても、リテーナ７０がハウジング本体１０との間の隙間があかないようにコンデンサ本体６１を保持することになる。また、リテーナ７０は、コンデンサ本体６１の寸法公差を吸収できるように変形可能となっている。そのため、リテーナ７０が、コンデンサ本体６１の寸法公差をリテーナ７０で吸収した上で、コンデンサ本体６１とハウジング本体１０（コンデンサ収容部１８）の間の隙間を埋めることから、コンデンサ６０が振動することを抑制することができ、リード線６２とバスバー片４０の溶接部４８Ａ、４８Ｂとの溶接部分が破損することを回避できる。
【００４３】
また本実施形態では、バスバー片４０を保持するホルダ２０と、ホルダ２０を前方から挿入可能な挿入口１１を有し挿入口１１からホルダ２０を内部に収容可能なハウジング本体１０とから形成されており、コンデンサ本体６１の前端部はホルダ２０（コンデンサ保持部３５）に保持されつつ、コンデンサ本体６１の後端部にリテーナ７０が装着されている。このような構成では、バスバー片４０とコンデンサ６０をホルダ２０に保持させた後、バスバー片４０とコンデンサ６０のリード線６２を接続することができる。そのため、作業性が向上する。また、コンデンサ６０にリテーナ７０を装着した後に、バスバー片４０とコンデンサ６０が保持されたホルダ２０をハウジング本体１０内部に収容することができるため、作業性が向上する。
【００４４】
さらに、本実施形態では、コンデンサ本体６１は、略円柱形状とされており、リテーナ７０は、その内壁側部７３が全体として略円筒状をなしつつ、その円底面７４が略円形をなしており、内壁側部７３から円底面７４の中心に向かってスリット７５が形成されている。このような構成では、コンデンサ本体６１の大きさに応じて、リテーナ７０に設けられたスリット７５が開くことで、コンデンサ本体６１の寸法公差による大きさの変化に対応可能となっている。
【００４５】
＜実施形態２＞
次に、本発明の実施形態２を図１９ないし図２２の図面を参照しながら説明する。本実施形態における電子部品付きコネクタ（以下、単にコネクタＣ１０という）は、実施形態１のコネクタＣ１における保持部品の構成及びハウジング本体１０（コンデンサ収容部１８）の形状を変更したものであって、その他の共通する構成、作用、および効果については実施形態１と重複するため、その説明を省略する。また、実施形態１と同じ構成については同一の符号を用いるものとする。また、実施形態１と対応する構成については、実施形態１の符号の数字部分に１００を加えた符号を用いるものとする。
【００４６】
本実施形態では、ハウジング本体１１０のコンデンサ収容部１１８は、図２２に示すように、その内面が２段に形成されており、ホルダ２０のコンデンサ保持部３５を収容可能な幅広部１１８Ａと、コンデンサ本体６１の後端部及び後述するキャップ９０を収容可能な幅狭部１１８Ｂとの２段になっている。幅広部１１８Ａの前後方向の長さは、コンデンサ保持部３５の前後方向の長さと略同一となっている。一方、その残りが幅狭部１１８Ｂとなっており、幅狭部１１８Ｂは、その内周面を略円筒状とし、コンデンサ本体６１の外径より大きい内径となっている。
【００４７】
本実施形態のキャップ９０は、図１９ないし図２１に示すように、防振ゴムによって形成されており、コンデンサ本体６１を収容可能な略円筒状の円筒部９１と、円筒部９１の後端に形成された円筒底面９２と、円筒部９１の前端部に形成された突出部９３とから構成されている。円筒部９１は、コンデンサ本体６１がハウジング本体１１０内に収容された際に、コンデンサ収容部１１８とコンデンサ本体６１の間にできる隙間を埋める厚みがあり、その外径はコンデンサ収容部１１８の幅狭部１１８Ｂの内径と略同一であり、その内径はコンデンサ本体６１の寸法公差の範囲内における最小外径と略同一となっている。円筒底面９２は、コンデンサ本体６１とコンデンサ収容部１１８の間の隙間の最大値の厚さとなっている。突出部９３は、円筒部９１の前端部に、その径方向外側に突出する形で形成されており、その突出した部分の外寸は、回転規制溝３７の内部の幅Ｗ１と略同一となっている。
【００４８】
次に、本実施形態のコネクタＣ１０の組み立て方法について説明する。バスバー片４０及びコンデンサ６０をホルダ２０に組み付けて、リード線６２と溶接部４８Ａ、４８Ｂを抵抗溶接するまでは、実施形態１と同様のため、その説明を省略する。
コンデンサ６０のリード線６２が抵抗溶接されると、コンデンサ本体６１の後方からキャップ９０が取り付けられる。キャップ９０は、コンデンサ本体６１の公差内の最小半径で形成されていることから、ほとんどの場合には、コンデンサ本体６１を圧入することになる。コンデンサ本体６１をキャップ９０に圧入すると、キャップ９０がコンデンサ本体６１の前方に向かって押し込まれることで装着されていく。そして、突出部９３が回転規制溝３７に挿入されて、突出部９３が回転規制溝３７内に収容されると、コンデンサ本体６１の後端が円筒底面９２の内面に当接して、キャップ９０がコンデンサ本体６１に装着される。
【００４９】
続いて、バスバー片４０とコンデンサ６０が取り付けられたホルダ２０がハウジング本体１１０に取り付けられる。挿入口１１からキャップ９０を取り付けたコンデンサ６０を先方にしてホルダ２０が挿入される。そして、バスバー片４０（帯状連結部４３）のホルダ２０から突出した端部が押されることで、バスバー片４０が押し込まれる。バスバー片４０のハウジング圧入部５５が、ハウジング圧入穴１６に圧入される。そして、帯状連結部４３のホルダ２０から突出した端部の後端面が、ハウジング差込溝１５の後面に突き当たり、押し込みが停止される。バスバー片４０の押し込みが停止すると、バスバー片４０とともにホルダ２０もハウジング本体１１０内の所定の位置に配される。この際に、キャップ９０がコンデンサ収容部１１８の内面に弾性変形しながら押し込まれて、コンデンサ収容部１１８の幅狭部１１８Ｂ内に収容される。このようにして、キャップ９０がコンデンサ本体６１とコンデンサ収容部１１８の内面との間に形成された隙間を埋めることによって、外部からの振動によって、コンデンサ本体６１が振動するのが抑制される。また、バスバー片４０は、ハウジング圧入部５５がハウジング圧入穴１６の内周面に食い込むことにより、ハウジング本体１０に保持される。
【００５０】
本実施形態では、コンデンサ本体６１は、略円柱形状とされており、キャップ９０は、弾性部材（防振ゴム）で形成されており、略円筒形でコンデンサ本体６１を覆ってハウジング本体１１０（コンデンサ収容部１１８）との隙間を埋める円筒部９１と、円筒部９１から径方向外側に突出した突出部９３とを備えており、ホルダ２０には、突出部９３を収容可能な回転規制溝３７が形成されている。このような構成では、略円筒形の円筒部９１が円柱形状のコンデンサ本体６１に装着される際に、円筒部が弾性部品でできているので、コンデンサ本体６１の寸法公差によって円筒部９１は変形可能であり、ハウジング本体１１０（コンデンサ収容部１１８）とコンデンサ本体６１の間の隙間を埋めて、振動を緩和することができる。また、突出部９３によって、ホルダ２０との装着性が向上することから、キャップ９０及びキャップ９０が装着されたコンデンサ本体６１の周り止めとなる。
【００５１】
＜他の実施形態＞
本発明は上記記述及び図面によって説明した実施形態に限定されるものではなく、例えば次のような実施形態も本発明の技術的範囲に含まれる。
（１）上記実施形態では、電子部品がコンデンサ６０である場合について説明したが、これに限らず、前後方向に長い形状で一端面からリード線が突出する形状であれば、例えば抵抗、ダイオード、トランジスタ等、各種の電子部品であってもよい。
（２）上記実施形態では、コンデンサ本体６１が略円柱形状であったが、略角柱形状をなしていても良い。また、他の形状であっても、その形状に合わせてリテーナやキャップの内周形状を変更できれば良い。
（３）上記実施形態ではコンデンサ６０のリード線６２が丸ピン形状をなしているが、これに限らず、例えば、コンデンサのリード線は角柱形状等であってもよい。
【００５２】
（４）上記実施形態では、バスバー片４０がホルダ２０に保持されていたが、ホルダ２０に保持されていない状態で、電子部品と接続されるものでもよい。また、コンデンサ６０に関しても、ホルダ２０に保持されていたが、保持されていない状態で、導電部材と接続されるものでも良い。例えば、導電部材と電子部品を接続後に、ハウジング内に、収容保持されるものでも良い。
（５）上記実施形態では、ハウジング本体１０とホルダ２０とを用いていたが、ホルダとハウジング本体が一体のコネクタであっても良い。
（６）上記実施形態では、リテーナ７０及びキャップ９０をコンデンサ本体６１に装着してからハウジング本体１０に挿入していたが、先にハウジングにリテーナ７０及びキャップ９０を挿入・固定しておいてから、電子部品を挿入するようにしても良い。
【００５３】
（７）実施形態１では、リテーナ７０の内壁側部７３はテーパ部７３Ａと同径部７３Ｂとを有していたが、円底面７４までの全部がテーパでも良いし、同径でも良い。
（８）実施形態１では、スリット７５の形状が十字状であったが、十字状に限らない。例えば、円底面の中心から放射状に広がる形状であれば、スリットの本数は５本でも６本でも良い。このように放射状に広がっていれば、均等に広がるために好適ではあるが、スリットの形状は、放射状以外でも電子部品の大きさに合わせて変化することが可能であれば、他の形状でも良い。
【００５４】
（９）実施形態２では、回転規制溝３７に突出部９３をはめ込んでいたが、コンデンサ収容部（ハウジング）に、凹部を形成して、そこに突出部がはめ込まれても良い。その場合には、突出部が形成される位置は、円筒部の前端に限らず、他の位置に形成されていても良い。
（１０）実施形態２では、ハウジング収容部１１８は、幅狭部１１８Ｂを有していたが、幅広部１１８Ａと同じ幅であっても良い。その場合にはキャップがハウジングとの隙間を埋めるための厚みが増すことになる。
（１１）実施形態２では、キャップ９０はゴム材料で形成されていたが、振動を抑制するゴム以外のの弾性部材で形成されていても良い。
【符号の説明】
【００５５】
１０、１１０…ハウジング本体（ハウジングの一例）
１１…挿入口
１８、１１８…コンデンサ収容部
２０…ホルダ（ハウジングの一例）
２１…バスバー片保持部
３１…中間部
３４…リード線支持部
３５…コンデンサ保持部
３６…筒状部
３７…回転規制溝（凹部）
３８…スペーサ部
３９…コンデンサ挿入口（挿入口）
４０（４０Ａ、４０Ｂ）…バスバー片（導電部材）
６０…コンデンサ（電子部品）
６１…コンデンサ本体（電子部品本体）
６２…リード線
６４…リード線突出部
７０…リテーナ（保持部品の一例）
７１…側壁面
７２…前端面
７３…内壁側部（内周側面）
７４…円底面（内周底面）
７５…スリット
９０…キャップ（保持部品の一例）
９１…円筒部
９２…円筒底面
９３…突出部
Ｃ１、Ｃ１０…電子部品付きコネクタ
【図１】
2015011853.tif 000003
【図２】
2015011853.tif 000004
【図３】
2015011853.tif 000005
【図４】
2015011853.tif 000006
【図５】
2015011853.tif 000007
【図６】
2015011853.tif 000008
【図７】
2015011853.tif 000009
【図８】
2015011853.tif 000010
【図９】
2015011853.tif 000011
【図１０】
2015011853.tif 000012
【図１１】
2015011853.tif 000013
【図１２】
2015011853.tif 000014
【図１３】
2015011853.tif 000015
【図１４】
2015011853.tif 000016
【図１５】
2015011853.tif 000017
【図１６】
2015011853.tif 000018
【図１７】
2015011853.tif 000019
【図１８】
2015011853.tif 000020
【図１９】
2015011853.tif 000021
【図２０】
2015011853.tif 000022
【図２１】
2015011853.tif 000023
【図２２】
2015011853.tif 000024